(57)【要約】【課題】振動、衝撃などに対する耐性を向上させることが可能な、新規かつ改良された絞り装置を提供すること。【解決手段】絞り羽根３４，３６と、絞り羽根３４，３６を収容する絞り枠３２と、を有する絞り機構３０と、絞り機構３０が装着されるレンズ装置１０の固定筒１２に対して固定され、固定筒１２の受け面１２ｄとの間で絞り機構３０を挟持する絞り機構カバー５０と、を備え、絞り機構３０及び絞り機構カバー５０は固定筒１２の側面から内部に挿入され、絞り機構３０及び絞り機構カバー５０の少なくとも一部が、固定筒１２の側面よりも外側に突出しており、絞り機構カバー５０の固定筒１２の側面よりも外側に突出した部位には、絞り機構３０が固定筒１２から離脱する方向において、絞り機構３０を保持する保持部５０ｅが設けられる。【選択図】図１
2008020792.tif 000002
【特許請求の範囲】
【請求項１】
絞り羽根と、前記絞り羽根を収容する絞り枠と、を有する絞り機構と；
前記絞り機構が装着される鏡筒に対して固定され、前記鏡筒の受け面との間で前記絞り機構を挟持する絞り機構カバーと、を備え；
前記絞り機構及び前記絞り機構カバーは前記鏡筒の側面から内部に挿入され、前記絞り機構及び前記絞り機構カバーの少なくとも一部が、前記鏡筒の側面よりも外側に突出しており；
前記絞り機構カバーの前記鏡筒の側面よりも外側に突出した部位には、前記絞り機構が前記鏡筒から離脱する方向において、前記絞り機構を保持する保持部が設けられたことを特徴とする、絞り装置。
【請求項２】
前記保持部は、前記絞り機構が前記鏡筒から離脱する方向において、前記絞り機構の端面と当接していることを特徴とする、請求項１に記載の絞り装置。
【請求項３】
前記保持部は、前記絞り機構が前記鏡筒の側面よりも外側に突出した部位において、前記絞り機構の外周を囲むように設けられたことを特徴とする、請求項１又は２に記載の絞り装置。
【請求項４】
前記絞り羽根は、前記絞り機構カバーの一面と対向しており、前記絞り機構カバーの一面から前記絞り羽根に向かって、当該絞り羽根の面直方向の移動を規制する脱落防止用レールが突出して設けられていることを特徴とする、請求項１〜３のいずれかに記載の絞り装置。
【請求項５】
前記絞り機構は、前記絞り枠に装着され、前記絞り羽根を駆動するための駆動手段を更に有し、
前記駆動手段は、前記絞り枠に装着された際に前記絞り枠と係合する係合部を有し、
前記絞り枠は、前記係合部が挿入される開口部を有し、
前記係合部は、前記開口部に挿入される過程で変形し、変形が戻ることによって前記開口部の縁と係合するものであり、
前記絞り機構カバーには、前記開口部に向かって突出するリブが設けられ、
前記絞り機構及び前記絞り機構カバーを前記鏡筒に装着した状態において、前記リブは、前記係合部が変形する方向で前記係合部と近接する位置に設けられていることを特徴とする、請求項１〜４のいずれかに記載の絞り装置。
【発明の詳細な説明】
【技術分野】
【０００１】
本発明は、絞り装置に関する。
【背景技術】
【０００２】
近時においては、例えば金融機関の店舗、商品を販売する店舗等において、監視カメラ（監視用CCTVカメラ）が広く用いられている。監視カメラは通常のカメラと同様にレンズ装置（鏡筒）を備えており、レンズ装置には、入射する光の光量を調節するための絞り装置が設けられている。絞り装置は、絞り羽根、羽根を駆動するレバー、レバーを電気的に駆動する駆動装置などの精密部品から構成されている。
【０００３】
【特許文献１】特開２００３−２３３１０２号公報
【発明の開示】
【発明が解決しようとする課題】
【０００４】
しかしながら、絞り装置に振動や衝撃が加えられた場合、絞り装置から羽根、または駆動装置などの部品が脱落するといった問題が生じる。また、振動や衝撃が大きい場合は、レンズ装置から絞り装置自体が脱落してしまうことも想定される。
【０００５】
特に、監視カメラは、その性質上、監視カメラによって撮影されることを好まない人物等によって損壊を受ける場合がある。従って、通常のカメラと比較すると、衝撃力に対する耐性をより向上させておく必要がある。
【０００６】
監視カメラが備える絞り装置が損傷を受けると、光量を調整することができなくなるため、その後、適正な撮影を行うことができなくなる。このため、監視カメラが監視機能を発揮することができなくなるという問題が生じる。
【０００７】
そこで、本発明は、上記問題に鑑みてなされたものであり、本発明の目的とするところは、振動、衝撃などに対する耐性を向上させることが可能な、新規かつ改良された絞り装置を提供することにある。
【課題を解決するための手段】
【０００８】
上記課題を解決するために、本発明のある観点によれば、絞り羽根と、前記絞り羽根を収容する絞り枠と、を有する絞り機構と、前記絞り機構が装着される鏡筒に対して固定され、前記鏡筒の受け面との間で前記絞り機構を挟持する絞り機構カバーと、を備え、前記絞り機構及び前記絞り機構カバーは前記鏡筒の側面から内部に挿入され、前記絞り機構及び前記絞り機構カバーの少なくとも一部が、前記鏡筒の側面よりも外側に突出しており、前記絞り機構カバーの前記鏡筒の側面よりも外側に突出した部位には、前記絞り機構が前記鏡筒から離脱する方向において、前記絞り機構を保持する保持部が設けられた絞り装置が提供される。
【０００９】
上記構成によれば、絞り機構及び絞り機構カバーは、少なくとも一部が鏡筒の側面よりも突出した状態で鏡筒の内部に挿入される。絞り機構カバーは、絞り機構が装着される鏡筒に対して固定され、鏡筒の受け面との間で絞り機構を挟持する。そして、鏡筒の側面よりも外側に突出した部位には、絞り機構カバーには、絞り機構が鏡筒から離脱する方向において、絞り機構を保持する保持部が設けられる。振動や衝撃等によって、絞り機構が鏡筒から離脱する方向に力が加えられた場合であっても、絞り機構は、絞り機構カバーと鏡筒の受け面との間で挟持されており、絞り機構が鏡筒から離脱する方向では、絞り機構カバーの保持部によって絞り機構が保持されるため、絞り機構が鏡筒から脱落してしまうことを確実に抑止することができる。
【００１０】
また、前記保持部は、前記絞り機構が前記鏡筒から離脱する方向において、前記絞り機構の端面と当接しているものであってもよい。かかる構成によれば、絞り機構が鏡筒から離脱する方向では、絞り機構の端面と保持部が当接するため、絞り機構が鏡筒から脱落してしまうことを確実に抑止することができる。
【００１１】
また、前記保持部は、前記絞り機構が前記鏡筒の側面よりも外側に突出した部位において、前記絞り機構の外周を囲むように設けられたものであってもよい。かかる構成によれば、保持部が絞り機構の外周を囲むように設けられるため、保持部によって絞り機構を確実に保持することができ、振動、衝撃等が加えられた場合であっても、絞り機構が鏡筒から脱落してしまうことを抑止することができる。
【００１２】
また、前記絞り羽根は、前記絞り機構カバーの一面と対向しており、前記絞り機構カバーの一面から前記絞り羽根に向かって、当該絞り羽根の面直方向の移動を規制する脱落防止用レールが突出して設けられたものであってもよい。かかる構成によれば、脱落防止用レールによって絞り羽根の面直方向の移動が規制されるため、振動、衝撃等が加えられた場合であっても、絞り枠から絞り羽根が脱落してしまうことを確実に抑止することが可能となる。
【００１３】
また、前記絞り機構は、前記絞り枠に装着され、前記絞り羽根を駆動するための駆動手段を更に有し、前記駆動手段は、前記絞り枠に装着された際に前記絞り枠と係合する係合部を有し、前記絞り枠は、前記係合部が挿入される開口部を有し、前記係合部は、前記開口部に挿入される過程で変形し、変形が戻ることによって前記開口部の縁と係合するものであり、前記絞り機構カバーには、前記開口部に向かって突出するリブが設けられ、前記絞り機構及び前記絞り機構カバーを前記鏡筒に装着した状態において、前記リブは、前記係合部が変形する方向で前記係合部と近接する位置に設けられているものであってもよい。かから構成によれば、絞り機構カバーのリブが、係合部が変形する方向で係合部と近接する位置に設けられるため、係合部とリブが当接することで係合部の変形が抑えられる。従って、係合部が変形して開口部の縁との係合が外れてしまうことを確実に抑えることができ、振動、衝撃等が加えられた場合であっても、駆動手段が絞り機構から離脱してしまうことを確実に抑止することができる。
【発明の効果】
【００１４】
本発明によれば、振動、衝撃などに対する耐性を向上させることが可能な、新規かつ改良された絞り装置を提供することが可能となる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
図１は、本発明の一実施形態にかかる絞り機構を備えたレンズ装置（鏡筒）を示す図であって、光軸Ｐに沿った鉛直方向の断面を示す断面図である。図１に示すように、レンズ装置１０は固定筒１２を備えている。固定筒１２には、絞り機構３０が設けられている。固定筒１２の内部には、絞り機構３０の前側（被写体側）にレンズ枠１４が配置されており、絞り機構３０の後側にレンズ枠１６が配置されている。また、固定筒１２の外側には、フォーカスリング１８、ズームリング２０が配置されている。
【００１７】
レンズ枠１４は、フォーカスレンズ（群）２２を保持する枠である。レンズ枠１４には、その周面よりも突出する係合ピン１４ａが装着されている。一方、固定筒１２には、光軸方向に直進溝１２ａが形成されており、係合ピン１４ａが直進溝１２ａに係合することによって、レンズ枠１４およびフォーカスレンズ２２が、直進溝１２ａにガイドされて光軸方向に直進移動するように構成されている。
【００１８】
レンズ枠１６は、ズームレンズ（群）２６を保持する枠である。レンズ枠１６には、その周面よりも突出する係合ピン１６ａが装着されている。一方、固定筒１２には、光軸方向に直進溝１２ｂが形成されており、係合ピン１６ａが直進溝１２ｂに係合することによって、レンズ枠１６およびズームレンズ２６が、直進溝１２ｂにガイドされて光軸方向に直進移動するように構成されている。
【００１９】
フォーカスリング１８は、レンズ枠１４が配置される部位において、固定筒１２の外周面に回動可能に配置されている。フォーカスリング１８の内周面には、光軸に対して螺旋状にカム溝１８ａが形成されている。レンズ枠１４に装着された係合ピン１４ａは、フォーカスリング１８のカム溝１８ａに係合する。従って、フォーカスリング１８を回動操作すると、フォーカスリング１８のカム溝１８ａと固定筒１２の直進溝１２ａとの交差位置が光軸方向に変位するとともに、その交差位置に従って係合ピン１４ａ、レンズ枠１４、およびフォーカスレンズ２２が光軸方向に変位する。このように、フォーカスリング１８を回動操作することによって、フォーカスレンズ２２の設定位置を調整してピント調整を行うことができる。
【００２０】
ズームリング２０は、レンズ枠１６が配置される部位において、固定筒１２の外周面に回動可能に配置されている。ズームリング２０の内周面には、光軸に対して螺旋状にカム溝２０ａが形成されている。レンズ枠１６に装着された係合ピン１６ａは、ズームリング２０のカム溝２０ａに係合する。従って、ズームリング２０を回動操作すると、ズームリング２０のカム溝２０ａと固定筒１２の直進溝１２ｂとの交差位置が光軸方向に変位するとともに、その交差位置に従って係合ピン１６ａ、レンズ枠１６、およびズームレンズ２６が光軸方向に変位する。このように、ズームリング２０を回動操作することによって、ズームレンズ２６の設定位置を調整して焦点距離（ズーム画角）を調整することができる。なお、本実施例では前群レンズにフォーカス機能、後群レンズにズーム機能を持たせたが、前群レンズにズーム機能、後群レンズにフォーカス機能を持たせても良い。
【００２１】
絞り機構３０は、絞り枠３２、２枚の羽根３４，３６、羽根を駆動するための駆動装置（駆動手段）３８、駆動装置３８の駆動軸３８ａに固定されたレバー４０（図１において不図示）を備えている。また、図１に示すように、絞り機構３０の前側には、絞り機構カバー５０が配置されている。そして、絞り機構３０と、絞り機構カバー５０とによって、本実施形態に係る絞り装置が構成される。
【００２２】
図２は、絞り機構３０の平面構成を示す図であって、絞り機構３０を被写体側から見た状態を示している。
【００２３】
図２に示すように、絞り機構３０は、絞り枠３２を備えている。絞り枠３２には、光軸Ｐを中心とする円形の開口３２ｆと、リブ３２ｅが設けられている。図１及び図２に示すように、リブ３２ｅは、絞り枠３２の周縁部において、被写体側へ突出するように設けられている。
【００２４】
図２に示すように、リブ３２ｅの内側には、羽根３４および羽根３６が重ねて配置される。被写体側に位置する羽根３４には、長孔状の開孔部３４ａ、開孔部３４ｂ、開孔部３４ｃ、が設けられている。また、絞り枠３２には、被写体側へ突出する係合ピン３２ａ，３２ｂ，３２ｃ，３２ｄが設けられている。各開孔部３４ａ，３４ｂ，３４ｃは、３つの係合ピン３２ａ，３２ｂ，３２ｃとそれぞれ係合している。
【００２５】
同様に、羽根３６には、開孔部３６ａ、開孔部３６ｂ、開孔部３６ｃ、が設けられている。各開孔部３６ａ，３６ｂ，３６ｃは、絞り枠３２に設けられた３つの係合ピン３２ａ，３２ｂ，３２ｄとそれぞれ係合している。係合ピン３２ａ，３２ｂ，３２ｃ，３２ｄは、羽根３４，３６との係合を確実にするため、先端側の径が拡大されている。
【００２６】
羽根３４には、絞り枠３２の開口３２ｆに対応する切欠き３４ｅが設けられている。また、羽根３６には、絞り枠３２の開口３２ｆに対応する切欠き３６ｅが設けられている。
【００２７】
図１に示すように、駆動装置３８は、絞り枠３２の下部に装着されている。また、駆動装置３８は、絞り枠３２に対して後側から装着される。図２に示すように、駆動装置３８の駆動軸３８ａは絞り枠３２に向けられており、駆動軸３８ａにはレバー４０が装着されている。レバー４０は、両端に係合ピン４０ａおよび係合ピン４０ｂを備えている。係合ピン４０ａは、羽根３４に設けられた開孔部３４ｄと係合している。また、係合ピン４０ｂは、羽根３６に設けられた開孔部３６ｄと係合している。
【００２８】
図２は、駆動装置３８によって、レバー４０が矢印Ａ方向に最も駆動された状態を示している。この状態では、羽根３４が図２中で最も下に位置しており、羽根３６が最も上に位置している。従って、図２に示すように、羽根３４の切欠き３４ｅと羽根３６の切欠き３６ｅとが離間し、絞り枠３２の開口３２ｆが開かれる。
【００２９】
一方、図２の状態から、レバー４０が矢印Ａと反対方向に駆動されると、切欠き３４ｅ、切欠き３６ｅによって形成される開口が小さくなる。そして、レバー４０が矢印Ａと反対方向に最も駆動された状態では、羽根３４が図２中の最も上に位置し、羽根３６が最も下に位置する。この状態では、羽根３４と羽根３６が完全に重なり、絞り枠３２の開口３２ｆが完全に閉じられる。
【００３０】
図１に示すように、フォーカスリング１８とズームリング２０の間において、固定筒１２の外周の下部には、内部まで貫通する開口部１２ｃが設けられている。絞り機構３０は、絞り機構カバー５０とともに、開口部１２ｃから固定筒１２の内部に挿入される。
【００３１】
図３は、絞り機構カバー５０の構成を示す図である。ここで、図３（Ａ）は、絞り機構カバー５０を被写体側から見た状態を示しており、図３（Ｂ）は図３（Ａ)中の矢印Ｂ方向から絞り機構カバー５０を見た状態を示している。また、図３（Ｃ）は、絞り機構カバー５０を絞り機構３０側から見た状態を示している。
【００３２】
本実施形態において、絞り機構カバー５０は、固定筒１２からの絞り機構３０の脱落を防止する機能、絞り枠３２からの羽根３４，３６の脱落を防止する機能、および絞り枠３２からの駆動装置３８の脱落を防止する機能を備えている。
【００３３】
最初に、固定筒１２からの絞り機構３０の脱落を防止する機構について説明する。図３（Ａ）に示すように、絞り機構カバー５０には、光軸Ｐを中心とする開口５０ａが設けられている。また、絞り機構カバー５０には、固定ネジ５２が挿入される４箇所のネジ孔５０ｂが設けられている。
【００３４】
絞り機構カバー５０には、後側（絞り機構３０側）に向けて、絞り機構保持枠（保持部）５０ｃが設けられている。図２に示すように、絞り機構３０は、駆動装置３８が装着される部位が固定筒１２の外側に突出している。絞り機構保持枠５０ｃは、絞り機構３０の固定筒１２から下方に突出した部分を、下方および両側部から囲むように設けられている。
【００３５】
図３（Ｂ）及び図３（Ｃ）に示すように、絞り機構カバー５０の絞り機構３０側の面には、固定筒１２の受け面１２ｄと当接する当接面５０ｄが設けられている。図３（Ｂ）に示すように、絞り機構カバー５０の絞り機構側の主面５０ｅから当接面５０ｄまでの光軸Ｐ方向の高さはｈとされている。高さｈは、図１に示す、リブ３２ｅの部分における絞り枠３２の厚さｔに対応している。
【００３６】
また、当接面５０ｄは、図３（Ｃ）に示す左右の当接面５０の間隔ｄ１が、図２に示す絞り枠３２の幅ｄ２よりも広くなるように構成されている。なお、当接面５０の間隔ｄ１と絞り枠３２の幅ｄ２を一致させて、当接面５０の間に絞り枠３２が嵌合するように構成しても良い。
【００３７】
図４は、絞り機構３０に対して被写体側から絞り機構カバー５０を被せ、被写体側から見た状態を示している。また、図５は、図４に示す絞り機構３０と絞り機構カバー５０の組み合わせを、固定筒１２に装着した状態を示している。
【００３８】
図５に示すように、絞り機構３０と絞り機構カバー５０は、固定筒１２の開口部１２ｃから固定筒１２の内部に向けて挿入される。この状態では、図１に示すように、絞り機構３０のレンズ枠１６側の面が固定筒１２の受け面１２ｄに当接する。また、絞り機構カバー５０の当接面５０ｄが固定筒１２の受け面１２ｄに当接し、リブ３２ｅの先端が絞り機構カバー５０の主面５０ｅと当接する。絞り枠３２の厚さｔは、絞り機構カバー５０の高さｈに対応しており、絞り機構３０の幅ｄ２は当接面５０ｄの間隔ｄ１よりも小さいため、絞り機構３０は、幅方向では２つの当接面５０ｄの間に入り、光軸Ｐ方向では絞り機構カバー５０の主面５０ｅと固定筒１２の受け面１２ｄとの間で挟持される。
【００３９】
図５に示すように、絞り機構カバー５０のネジ孔５０ｂには４本の固定ネジ５２が挿入され、固定ネジ５２は固定筒１２の受け面１２ｄに対してねじ込まれる。これにより、絞り機構カバー５０が固定筒１２に対して固定されるとともに、絞り機構３０が絞り機構カバー５０の主面５０ｅと固定筒１２の受け面１２ｄの間に挟まれて固定される。なお、図５では、受け面１２ｄの内周側の端面を破線１２ｅで示している。端面１２ｅは、固定ネジ５２がねじ込まれる位置よりも径方向の光軸Ｐ側に位置している。
【００４０】
また、絞り機構３０の下部においては、絞り枠３２の下端３２ｇから幅方向の両側部にかけての領域が、絞り機構カバー５０の絞り機構保持枠５０ｃによって囲まれて保持される。図６は、図１中の駆動装置３８の近傍を拡大して示す模式図であって、絞り枠３２の下端３２ｇが絞り機構保持枠５０ｃによって保持されている状態を示している。
【００４１】
図６に示すように、絞り機構保持枠５０ｃの内側には、絞り枠３２の下端３２ｇに向けてリブ５０ｆが設けられている。絞り機構３０と絞り機構カバー５０を固定筒１２の内部に挿入し、固定ネジ５２を締め込んだ状態では、絞り機構カバー５０が固定筒１２に対して固定される。そして、この状態では、絞り枠３２の下端３２ｇに絞り機構保持枠５０ｃのリブ５０ｆが当接し、絞り機構３０の下端（絞り枠３２の下端３２ｇ）がリブ５０ｆによって支持される。また、絞り機構３０の下端３２ｇから両側部にかけての領域は、絞り機構保持枠５０ｃに囲まれ、絞り機構保持枠５０ｃの内側面の当接面５０ｉの間隔ｄ３（図３（Ｃ）参照）と絞り枠３２の幅ｄ４（図２参照）を一致させることによって保持される。ここで、絞り機構保持枠５０ｃの内側面に、絞り枠３２の幅方向の両側部と当接するリブを設けても良い。
【００４２】
このため、絞り機構３０は絞り機構保持枠５０ｃによって確実に保持され、絞り機構３０が固定筒１２から離脱する方向の動きは、絞り機構保持枠５０ｃ、およびリブ５０ｆによって抑止される。これにより、固定筒１２に対する絞り機構３０の保持を非常に強固にすることができ、レンズ装置１０に大きな衝撃力が加えられた場合であっても、固定筒１２から絞り機構３０が脱落してしまうことを確実に抑止することが可能となる。
【００４３】
次に、本実施形態において、羽根３４、羽根３６の脱落を防止する機構について説明する。図３（Ｃ）に示すように、絞り機構保持カバー５０の主面５０ｅには、絞り機構３０に向かって突出する絞り羽根脱落防止レール５０ｇが設けられている。絞り羽根脱落防止レール５０ｇは、羽根３４、羽根３６の駆動方向に沿って延在するように設けられている。そして、絞り羽根脱落防止レール５０ｇの上面と、被写体側に位置する羽根３４との間に所定のクリアランスが設けられるように、主面５０ｅからの絞り羽根脱落防止レール５０ｇの高さが規定されている。
【００４４】
このような構成によれば、例えば羽根３４、羽根３６が被写体側（羽根３４，３６の面直方向）へ移動するような衝撃力が加えられた場合であっても、羽根３４、羽根３６が絞り羽根脱落防止レール５０ｇと当接し、被写体側への羽根３４、羽根３６の動きが規制される。これにより、羽根３４、羽根３６が必要以上に被写体側へ動いてしまうことを抑止することができる。従って、羽根３４の開孔部３４ａ，３４ｂ，３４ｃと係合ピン３２ａ，３２ｂ，３２ｃとの係合、および羽根３６の開孔部３６ａ，３６ｂ，３６ｃと係合ピン３２ａ，３２ｂ，３２ｄとの係合が外れてしまうことを確実に抑止することができる。また、羽根３４の開孔部３４ｄとレバー４０の係合ピン４０ａとの係合、および羽根３６の開孔部３６ｄとレバー４０の係合ピン４０ｂとの係合が外れてしまうことを抑止できる。これにより、衝撃力が加えられた場合に、羽根３４、羽根３６が脱落してしまうことを抑止することができ、羽根３４、羽根３６を確実に駆動することが可能となる。
【００４５】
次に、本実施形態において、駆動装置３８を絞り枠３２に対して保持する機構について説明する。図７は、絞り機構３０と絞り機構カバー５０が固定筒１２に対して固定された状態において、図４中の一点鎖線Ｉ−Ｉ’に沿った位置の断面を示す模式図である。図７は、主として駆動装置３８と絞り枠３２との結合部を示している。
【００４６】
図２及び図７に示すように、駆動装置３８には、絞り枠３２に向かって２本の係合部３８ｂが突出している。また、絞り枠３２には、係合部３８ｂが挿入される開口３２ｈが設けられている。絞り枠３２と駆動装置３８を結合する際には、絞り機構３０から絞り機構カバー５０を取り外した状態で、駆動装置３８の係合部３８ｂが開口３２ｈに挿入される。
この際、係合部３８ｂは、開口３２ｈに挿入される過程で開口３２ｈの中心に向かって変形し、元の状態に復帰することで、係合部３８ｂの係合面３８ｃが開口３２ｈの縁の部分と係合する。これにより、駆動装置３８と絞り枠３２が結合される。
【００４７】
また、図７に示すように、絞り機構カバー５０には、駆動装置３８の脱落防止用のリブ５０ｈが２箇所設けられている。駆動装置３８が絞り枠３２に装着され、絞り機構３０と絞り機構カバー５０が固定筒１２に装着されると、脱落防止用のリブ５０ｈが２つの係合部３８ｂの間に挿入され、２つの係合部３８ｂの対向面と当接する。
【００４８】
図８は、脱落防止用のリブ５０ｈの機能を説明するための模式図である。駆動装置３８が絞り枠３２から脱落する場合、係合面３８ｃと開口３２ｈの縁との係合が外れる方向（図８中の矢印Ｃ方向）に係合部３８ｂが変形しようとする。このとき、本実施形態の構成では、脱落防止用のリブ５０ｈが２つの係合部３８ｂの間に挿入され、２つの係合部３８ｂの対向面と当接しているため、係合部３８ｂが矢印Ｃ方向に変形することがない。従って、係合面３８ｃと開口３２ｈの縁との係合が外れることがなく、レンズ装置１０に大きな衝撃力が加わった場合であっても絞り機構３０から駆動装置３８が脱落してしまうことを確実に抑えることが可能となる。
【００４９】
以上説明したように本実施形態によれば、固定筒１２からの絞り機構３０の脱落、絞り枠３２からの羽根３４，３６の脱落、および絞り枠３２からの駆動装置３８の脱落を確実に抑止することができる。従って、これらの脱落に起因する映像不良の発生を確実に抑えることが可能となる。
【００５０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５１】
【図１】本発明の一実施形態にかかる絞り装置を備えたレンズ装置を示す断面図である。
【図２】絞り機構の平面構成を示す模式図である。
【図３】絞り機構カバーの構成を示す模式図である。
【図４】絞り機構に対して被写体側から絞り機構カバーを被せ、被写体側から見た状態を示す模式図である。
【図５】図４に示す絞り機構と絞り機構カバーの組み合わせを、固定筒に装着した状態を示す模式図である。
【図６】図１中の駆動装置の近傍を拡大して示す模式図である。
【図７】絞り機構と絞り機構カバーが固定筒に対して固定された状態において、図４中の一点鎖線Ｉ−Ｉ’に沿った位置の断面を示す模式図である。
【図８】脱落防止用のリブの機能を説明するための模式図である。
【符号の説明】
【００５２】
１０    レンズ装置
１２    固定筒
１２ｄ    受け面
３０    絞り機構
３２    絞り枠
３２ｈ    開口
３４，３６    羽根
３８    駆動手段
３８ｂ    係合部
５０    絞り機構カバー
５０ｃ    絞り機構保持枠
５０ｇ    絞り羽根脱落防止レール
５０ｈ    リブ
【図１】
2008020792.tif 000003
【図２】
2008020792.tif 000004
【図３】
2008020792.tif 000005
【図４】
2008020792.tif 000006
【図５】
2008020792.tif 000007
【図６】
2008020792.tif 000008
【図７】
2008020792.tif 000009
【図８】
2008020792.tif 000010